(57)【要約】【課題】  簡易で安価な構成でありながらも、洗浄機に供給される電源周波数が異なっても、設計通りの洗浄性能を発揮することを可能にする洗浄機を提供すること。【解決手段】  洗浄対象物を収納し、洗浄水によって洗浄対象物を洗浄する洗浄槽２０と、洗浄槽２０の内部に配設され、洗浄水を洗浄対象物に噴射する洗浄ノズル２１と、洗浄ノズル２１から噴射された洗浄水を再度洗浄ノズル２１に供給させる循環ポンプ２３および洗浄水循環路２２と、洗浄水循環路２２に配設され、洗浄水循環路２２を循環する洗浄水の一部を分岐させる分岐弁２２Ｂおよび洗浄水分岐循環路２２Ａと、を有し、洗浄水分岐循環路２２Ａは、洗浄ノズル２１を経由させずに洗浄槽２０に接続されていることを特徴とする洗浄機１０である。【選択図】図１
2017196130.tif 000002
【特許請求の範囲】
【請求項１】
洗浄対象物を収納し、洗浄水によって前記洗浄対象物を洗浄する洗浄槽と、
前記洗浄槽の内部に配設され、前記洗浄水を前記洗浄対象物に噴射する洗浄ノズルと、
前記洗浄ノズルから噴射された前記洗浄水を再度前記洗浄ノズルに供給させるポンプおよび洗浄水循環路と、
前記洗浄水循環路に配設され、前記洗浄水循環路を循環する前記洗浄水の一部を分岐させる分岐弁および洗浄水分岐循環路と、を有し、
前記洗浄水分岐循環路は、前記洗浄ノズルを経由させずに前記洗浄槽に接続されていることを特徴とする洗浄機。
【請求項２】
前記洗浄水分岐循環路は、前記洗浄槽の底部に形成された前記洗浄水の貯留部に接続されていることを特徴とする請求項１記載の洗浄機。
【請求項３】
前記分岐弁は手動切替弁であることを特徴とする請求項１または２記載の洗浄機。
【発明の詳細な説明】
【技術分野】
【０００１】
本発明は洗浄機に関し、より詳細には、電源周波数の違いによる洗浄対象物の洗浄度合いのばらつきをなくすことを可能にした洗浄機に関する。
【背景技術】
【０００２】
洗浄水を用いて洗浄対象物を洗浄する洗浄機の構成としては、例えば特許文献１に開示されているようなものが知られている。また、このような洗浄機においては、洗浄効果を高めるために特許文献２に開示されているような医療器具用洗浄剤組成物が用いられることが多い。
【先行技術文献】
【特許文献】
【０００３】
【特許文献１】特開２０１５−１７１４１２号公報
【特許文献２】特開２０１１−２１９６１０号公報
【発明の概要】
【発明が解決しようとする課題】
【０００４】
日本における電源周波数は、東日本が５０ヘルツであるのに対し、西日本が６０ヘルツである。このように東日本と西日本において供給されている電源周波数が相違していることにより、洗浄機を西日本で使用する場合と東日本で使用する場合とで、洗浄水を洗浄ノズルに供給させるための循環ポンプの性能が異なってしまう。具体的には西日本における電源周波数を基準にして洗浄機の動作を設定すると、東日本では洗浄ノズルに供給される洗浄水の量が減るので洗浄力不足になってしまう。また、東日本における電源周波数を基準にして洗浄機の動作を設定すると、西日本では洗浄ノズルに供給される洗浄水の量が増えるので洗浄力が過剰になってしまう。このように洗浄機を使用する地域が変わると当初の設計通りの洗浄処理を行うことができなくなってしまうことがあるといった不具合の所在が明らかになった。
【０００５】
このような課題を解決しようとする場合、電源周波数に応じて循環ポンプそのものを交換する方法や、循環ポンプに供給される電源周波数が一定になるようにインバータを適用する解決策が考えられる。しかしながら、いずれにおいても製造コストが高騰してしまう課題があることに加え、インバータを適用した場合にはインバータが発するノイズ対策を別途施さなければならず、洗浄機の構成が複雑になってしまうといった課題もある。
【０００６】
そこで本発明は上記課題を解決すべくなされたものであり、簡易で安価な構成でありながらも、洗浄機に供給される電源周波数が異なっても、設計通りの洗浄性能を発揮することを可能にする洗浄機の提供を目的としている。
【課題を解決するための手段】
【０００７】
上記課題を解決するために本願発明者が鋭意研究した結果、以下の構成に想到した。
すなわち本発明は、洗浄対象物を収納し、洗浄水によって前記洗浄対象物を洗浄する洗浄槽と、前記洗浄槽の内部に配設され、前記洗浄水を前記洗浄対象物に噴射する洗浄ノズルと、前記洗浄ノズルから噴射された前記洗浄水を再度前記洗浄ノズルに供給させるポンプおよび洗浄水循環路と、前記洗浄水循環路に配設され、前記洗浄水循環路を循環する前記洗浄水の一部を分岐させる分岐弁および洗浄水分岐循環路と、を有し、前記洗浄水分岐循環路は、前記洗浄ノズルを経由させずに前記洗浄槽に接続されていることを特徴とする洗浄機である。
【０００８】
これにより、循環ポンプに供給される電源周波数にかかわらず洗浄ノズルに供給される洗浄水の量を一定に維持することができるため、電源周波数が異なっても同一の洗浄性能を発揮させることが可能な洗浄機を安価に提供することができる。
【０００９】
また、前記洗浄水分岐循環路は、前記洗浄槽の底部に形成された前記洗浄水の貯留部に接続されていることが好ましい。
【００１０】
これにより、洗浄槽に迂回させた洗浄水が洗浄槽に戻った際に、不本意な発泡を防止することができ、設計通りの洗浄処理を維持することができる。
【００１１】
また、前記分岐弁は手動切替弁であることが好ましい。
【００１２】
これにより、洗浄装置を安価に提供することができると共に、簡単な操作で電源周波数の相違に対応することが可能になる。
【発明の効果】
【００１３】
本発明にかかる洗浄機の構成を採用することにより、簡易で安価な構成でありながらも、洗浄機に供給される電源周波数が異なっても設計通りの洗浄性能を発揮する洗浄機を提供することができる。
【図面の簡単な説明】
【００１４】
【図１】本実施形態における洗浄機の概略構成図である。
【図２】本実施形態における洗浄機の正面図である。
【図３】切替弁部分の拡大説明図である。
【発明を実施するための形態】
【００１５】
以下、本発明にかかる洗浄機の実施形態について、図面に基づいて具体的に説明する。
本実施形態における洗浄機１０は、図１に示すように、洗浄対象物を収納して洗浄を行う函型の洗浄槽２０と、洗浄槽２０に接続された給水路３０、排水路４０および冷却水タンク５０と、洗浄槽２０から排出される湯気および蒸気を凝縮する凝縮器６０と、を有し、排水路４０と冷却水タンク５０には、洗浄排水排出手段としての排水ポンプ４２と冷却水排出手段としての冷却水ポンプ５２がそれぞれ配設されている。また、本実施形態における洗浄槽２０には熱風発生機７０および薬剤タンク８０と、制御部９０が付設されている。
【００１６】
本実施形態における洗浄槽２０は、洗浄槽２０の底部側における所要高さ範囲が底部側に向って窄まる形状に形成されている。このような洗浄槽２０の形態を採用することにより、洗浄槽２０内に供給された洗浄水は重力の作用により洗浄槽２０の底部に集まることとなり、洗浄槽２０内で洗浄水の一部が停滞してしまうことがなく好都合である。また、このように先窄まり部分に形成された洗浄槽２０の底部は洗浄水の貯留部にすることができる。
【００１７】
洗浄槽２０の内部には、洗浄対象物に洗浄水を噴射させる洗浄ノズル２１が水平面内において回転自在に配設されている。このような洗浄ノズル２１は洗浄槽２０の高さ方向に複数段配設されている。洗浄槽２０内において高さ方向に隣接する洗浄ノズル２１どうしの水平面内における回転方向は、互いに反対方向に回転させる形態の他、高さ方向においてすべての洗浄ノズル２１が同じ回転方向になるようにしてもよい。
【００１８】
それぞれの洗浄ノズル２１には、洗浄槽２０の底部において洗浄槽２０の内部空間に連通する洗浄水循環路２２が接続されていて、洗浄ノズル２１から噴射された洗浄水を再度洗浄ノズル２１に供給するため、洗浄槽２０の内部で洗浄水を循環させながら洗浄対象物の洗浄を行っている。洗浄水循環路２２には洗浄水を洗浄槽２０と洗浄水循環路２２内で循環させるための循環ポンプ２３が配設されている。洗浄水循環路２２における循環ポンプ２３の下流側位置には、洗浄水循環路２２内を循環する洗浄水の一部を分岐させる洗浄水分岐循環路２２Ａが設けられている。洗浄水分岐循環路２２Ａにより分岐された洗浄水は、洗浄ノズル２１を経由することなく洗浄槽２０に戻されることになる。
【００１９】
洗浄水分岐循環路２２Ａは、一方の端部が洗浄水循環路２２における循環ポンプ２３と洗浄ノズル２１への分岐部との間の位置に接続され、他方の端部が洗浄槽２０の底部における先窄まり部分と非先窄まり部分との境界部分（以下、先窄まり部分の直上高さ位置という）の壁面に配設された分岐洗浄水注入口２２Ｃに接続されている。また、洗浄水分岐循環路２２Ａの一方の端部には分岐弁２２Ｂが配設されている。本実施形態においては、分岐弁２２Ｂとして手動切替弁を採用した。
【００２０】
ここでは、分岐弁２２Ｂを閉じた状態を５０ヘルツ時における洗浄機１０の使用状態とし、分岐弁２２Ｂを開いた状態を６０ヘルツ時における洗浄機１０の使用状態にしている。図３に示すように、分岐弁２２Ｂの本体表面には分岐弁２２Ｂの開閉状態が目視できるように、分岐弁２２Ｂの開閉を操作するレバーＬの開閉状態のそれぞれの位置に合せて『５０ヘルツ用』と『６０ヘルツ用』の表示をしておくことが好ましい。本実施形態においては、分岐弁２２ＢのレバーＬが『６０ヘルツ用』を指示する状態にしたときに、洗浄水循環路２２を流通している洗浄水のうちの６分の１を洗浄水分岐循環路２２Ａに流入させるようにしている。
【００２１】
また、洗浄槽２０の底部には洗浄槽２０内の洗浄水を加熱するための洗浄水ヒータ２４と、洗浄槽２０内を循環する洗浄水の温度を計測する洗浄水温度計測手段２５が配設されている。洗浄水温度計測手段２５により計測された洗浄水の温度データは、制御部９０に送信される。制御部９０は、洗浄水温度計測手段２５の計測温度に基づいて、洗浄ノズル２１、循環ポンプ２３、洗浄水ヒータ２４のオンオフ動作をそれぞれ制御している。
【００２２】
また、洗浄槽２０の側面には、給水口２６、熱風供給口２７、薬剤供給口２８がそれぞれ配設されている。給水口２６には給水路３０が接続され、熱風供給口２７には熱風発生機７０が接続され、薬剤供給口２８には薬剤タンク８０が接続されている。熱風供給口２７は洗浄槽２０の側面において異なる高さ位置の複数箇所に配設されている。また、薬剤供給口２８も薬剤タンク８０内に収容されている薬剤の種類に応じた数が配設されている。洗浄液とリンス液をそれぞれ独立させて貯留する２室以上の貯留室を有する薬剤タンク８０または薬液の種類に応じた複数の薬剤タンク８０を設けておくことが好ましい。ここでリンス液とは、洗浄対象物に応じて用いられる仕上げ処理液のことを指す。
【００２３】
上水道からの水を貯留する給水タンク３２と洗浄槽２０とは、給水路３０によって接続されている。本実施形態においては、上水道と給水タンク３２とを接続する給水路３０には複数の給水路３０Ａ，３０Ｂ，３０Ｃが設けられている。第１の給水路３０Ａは洗浄槽２０に上水(水道水)を直接供給するためのものである。第２の給水路３０Ｂは図示しないヒータによって加熱された上水（水道水）を洗浄槽２０に供給するためのものである。そして第３の給水路３０Ｃは、逆浸透膜処理を行った上水（ＲＯ水）を洗浄槽２０に供給するためのものである。このような第１，第２，第３の給水路３０Ａ，３０Ｂ，３０Ｃから、洗浄対象物や洗浄処理に応じた適宜の洗浄水が洗浄槽２０内に選択的に供給可能になっている。
【００２４】
これら第１，第２，第３の給水路３０Ａ，３０Ｂ，３０Ｃは、いずれも洗浄槽２０の底部側における先窄まり部分の直上高さ位置の壁面に配設されているため、洗浄槽２０に新たに供給される洗浄水は、洗浄槽２０内の洗浄対象物に直接触することなく、洗浄槽２０の底部に配設された洗浄水ヒータ２４によって予め設定された温度まで加熱された後に、実際に洗浄水として用いられる。これにより、洗浄槽２０内において洗浄処理中の洗浄対象物の温度を不意に下げてしまうことがないため、洗浄対象物の洗浄効果を高い状態で維持することが可能である。
【００２５】
熱風供給口２７からは熱風発生機７０からの熱風が洗浄槽２０の内部空間に供給される。洗浄槽２０における洗浄対象物の洗浄工程後に実行される洗浄対象物の乾燥工程において熱風発生機７０を作動させ、所定温度に加熱された熱風が供給される。熱風発生機７０にはＨＥＰＡ(High Efficiency Particulate Air Filter)フィルター７２、送風ファン７４およびヒータ７６が配設されており、ＨＥＰＡフィルター７２を通過させた清浄な空気を乾燥工程に用いているため、医療器具や精密機器等を洗浄対象物とすることが可能である。また、ＨＥＰＡフィルター７２に代えてＵＬＰＡ（Ultra Low Penetration Air Filter）フィルターを用いることもできる。
【００２６】
洗浄槽２０の上部位置には、洗浄槽２０内で発生した湯気や蒸気を洗浄槽２０の外部に排出するための湯気排出口２９が配設されていて、この湯気排出口２９には湯気搬送路６２が連結されている。湯気搬送路６２の先端部には洗浄槽２０から排出された湯気や水蒸気を凝縮するための凝縮器６０が接続されている。凝縮器６０により凝縮されて得た凝縮水は冷却水タンク５０に貯留される。冷却水タンク５０には、凝縮水を洗浄槽２０から排出される高温の洗浄水の冷却用水として排水路４０に混入させるための冷却水供給水路５４が接続されている。また、冷却水タンク５０には、第１の給水路の分岐路３０Ａａも接続されている。
【００２７】
さらに冷却水タンク５０には、冷却水タンク５０内に貯留されている冷却用水の水量（冷却水タンク５０内の水位）を検出する冷却水量計測手段５６と冷却水温度計測手段５８が配設されている。冷却水量計測手段５６と冷却水温度計測手段５８により検出された冷却水タンク５０の水量データ及び水温データは制御部９０に送信される。冷却水タンク５０内の冷却用水の水量が予め設定されていた水量以下になった場合には、冷却水供給制御手段を兼ねる制御部９０が、第１の給水路の分岐路３０Ａａから上水道を冷却水タンク５０に供給させる。
【００２８】
冷却水供給水路５４を排水路４０に接続させる位置は、屋内の排水管等に代表される外部排水設備に洗浄槽２０から排出された高温の洗浄水が流入する前に、冷却水タンク５０内に貯留していた凝縮水（冷却水）を混合させることができる位置に設定されている。冷却水供給水路５４の経路内には、冷却水排出手段としての冷却水ポンプ５２が配設されている。
【００２９】
洗浄槽２０から排水路４０に排出される洗浄排水は、洗浄槽２０に配設されている洗浄水温度計測手段２５により温度計測がされていて、計測された洗浄排水の計測温度データは制御部９０に送信されている。また、冷却水タンク５０に収容されている冷却用水の水温も冷却水温度計測手段５８により計測され、計測された冷却用水の計測温度データは制御部９０に送信されている。
【００３０】
制御部９０は、予め図示しない記憶手段に記憶されている制御プログラムに基づいて、洗浄排水の計測温度データと冷却用水の計測温度データとを用いて排水ポンプ４２により排水路４０に排出される洗浄排水を予め設定された温度以下にするための洗浄排水の水量と冷却用水の水量をそれぞれ算出する。制御部９０は排水ポンプ４２により排出される水量と冷却水ポンプ５２により供給される冷却用水の水量が、自ら算出した水量になるように排水ポンプ４２と冷却水ポンプ５２の動作制御を行っている。
【００３１】
本実施形態における制御部９０は、排水ポンプ４２と冷却水ポンプ５２による洗浄排水と冷却用水の排出水量の調整を行う他に、同じく図示しない記憶手段に予め記憶されている洗浄機制御プログラムに基づいて、洗浄機１０内の他の構成の動作制御も行っている。また、洗浄機制御プログラムは、洗浄槽２０の外表面に配設されたタッチパネル２０Ａ（図２参照）のメニューボタンを操作することによって洗浄機１０を任意に動作させることができる。
【００３２】
続いて本実施形態における洗浄機１０の動作例について説明する。
まず、洗浄機１０を洗浄機１０の使用地域における電源周波数に適合させるセッティングを行う。具体的には分岐弁２２ＢのレバーＬが『６０ヘルツ用』または『５０ヘルツ用』のいずれかを指示するように分岐弁２２Ｂの操作を行う。次に洗浄機１０の洗浄槽２０に洗浄対象物を投入し、使用者がタッチパネル２０Ａ（図２参照）を操作して洗浄メニューを選択する。タッチパネル２０Ａの操作により洗浄メニューが選択されると、制御部９０が洗浄槽２０に洗浄水の給水と薬剤タンク８０から洗浄液を供給させると共に、洗浄水ヒータ２４によって洗浄水を所定温度となるまで加熱させる。洗浄水温度計測手段２５による検出温度が所定温度に到達したことを制御部９０が検出すると、制御部９０は循環ポンプ２３および洗浄ノズル２１を作動させ、洗浄水を洗浄ノズル２１に供給させると共に、洗浄対象物の洗浄処理を実行させる。洗浄工程中において洗浄水は、循環ポンプ２３によって洗浄槽２０内で常時循環している。
【００３３】
この洗浄工程においては加熱された洗浄水を用いているため、洗浄槽２０内で湯気や蒸気が生じる。洗浄槽２０の内部で生じた湯気や蒸気は、湯気排出口２９から湯気搬送路６２に排出され、湯気搬送路６２から凝縮器６０に送り出される。凝縮器６０では湯気や蒸気を凝縮させて凝縮水を生成し、凝縮水を冷却用水として冷却水タンク５０に貯留させている。冷却水タンク５０には冷却水タンク５０に貯留している冷却用水の水量（水位）は冷却水量計測手段５６による検出データと冷却水供給制御手段を兼ねる制御部９０とによって、冷却水タンク５０内には所定の水量が貯留されている状態が維持されている。
【００３４】
具体的には、冷却水量計測手段５６による検出データにより制御部９０が冷却水タンク５０の水量が不足していると判断した場合には、制御部９０は第１の給水路の分岐路３０Ａａから上水道を冷却水タンク５０に供給する処理を実行し、冷却水タンク５０の水量が所定水量に到達した際は、凝縮器６０により凝縮された水を排水路４０に凝縮器６０から直接流下させる処理を実行する。
【００３５】
洗浄工程が完了すると、制御部９０は排水ポンプ４２および冷却水ポンプ５２をそれぞれ作動させて洗浄槽２０から洗浄工程において用いた９０℃以上の高温の洗浄排水と、冷却水タンク５０の冷却用水をそれぞれ排水路４０に排出させる。本実施形態においては、外部排水設備Ｚに排水する前に、排水路４０内で高温の洗浄排水と冷却用水を混合させることにより洗浄排水の温度を６０℃以下にするための冷却処理を行っている。
【００３６】
より具体的には、洗浄水の温度を検出する洗浄水温度計測手段２５と冷却用水の温度を検出する冷却水温度計測手段５８により洗浄排水の温度と冷却用水の温度をそれぞれ計測し、計測データが制御部９０に送信される。制御部９０は、排水路４０への排水温度が所定温度となるように洗浄排水と冷却用水の混合比率を算出し、排水ポンプ４２と冷却水ポンプ５２による送水量が算出した混合比率となるように排水ポンプ４２と冷却水ポンプ５２の動作制御をおこなっている。
【００３７】
このように洗浄機１０の洗浄処理に用いた高温の洗浄排水を外部排水設備Ｚ（排水路４０）に流下させる際に、高温の洗浄排水がそのまま流下しないようにしているため、熱衝撃による外部排水設備Ｚの破損を確実に防ぐことができる。
ここでは、洗浄工程における洗浄排水の温度調整について説明したが、洗浄工程後のすすぎ工程において生じるすすぎ排水についても洗浄排水と同様にして温度調整を行ったうえで排水処理をすることができる。
【００３８】
洗浄工程およびすすぎ工程を終えた後、制御部９０は薬剤タンク８０の内部および第３の給水路３０Ｃからのリンス液およびＲＯ水を薬剤供給口２８から洗浄槽２０に供給し、洗浄対象物にリンス液による仕上げ処理が行われる。
リンス液による洗浄対象物の仕上げ処理工程を実行した後、制御部９０は熱風発生機７０を作動させて、熱風供給口２７から洗浄槽２０の内部に熱風を供給して洗浄対象物の乾燥処理工程を実行する。乾燥処理工程の後、洗浄槽２０の内部温度を所定の温度に低下させた後、洗浄槽２０の扉を開いて洗浄処理された洗浄対象物を取り出すことができる。
【００３９】
以上、本願発明にかかる洗浄機１０について実施形態に基づいて詳細に説明したが、本願発明にかかる洗浄機１０の構成は、本実施形態に示した洗浄機１０の構成に限定されるものではない。たとえば、本実施形態においては、分岐弁２２Ｂの本体表面に『５０ヘルツ用』および『６０ヘルツ用』との表示を行っているが、これらの表示は省略してもよい。また、洗浄水分岐循環路２２Ａの他方の端部（下流側端部）を洗浄槽２０の先窄まり部の直上高さ位置に接続させているが、洗浄槽２０の洗浄水の貯留部である先窄まり部分の壁面を含めた任意の壁面に接続させることもできる。洗浄槽２０の先窄まり部の壁面に洗浄水分岐循環路２２Ａの他方の端部を接続させる際は、洗浄水の貯留部における貯留水位の範囲内に開口させるようにすることが好ましい。このようにすることで、洗浄水の貯留部における無用な発泡を防止することができると共に、貯留部における貯留水の循環が促され、より適切な洗浄水の温度管理が可能になる。
【００４０】
また、本実施形態においては、排出手段として排水ポンプ４２を、冷却水排出手段として冷却水ポンプ５２を用いた構成について説明しているが、洗浄排水排出手段と冷却水排出手段はこれらの構成に限定されるものではない。排水ポンプ４２および冷却水ポンプ５２に代えて、制御部９０により開閉動作が制御可能に設けられた電磁弁を採用することもできる。要は、制御部９０により排水路４０への洗浄排水および冷却用水の排出水量が調整可能な構成であればよいのである。
【００４１】
また、本実施形態においては、凝縮器６０により凝縮されて得た凝縮水を凝縮器６０とは別体の冷却水タンク５０に貯留する構成を示しているが、貯水タンクを備えた凝縮器６０の構成を採用すれば、冷却水タンク５０の構成を省略することができる。
【００４２】
また、本実施形態においては、給水路３０に複数の給水路３０Ａ，３０Ｂ，３０Ｃを接続しているが、洗浄対象物が限定されている場合や、洗浄機１０の構成を簡素化するために給水路３０を２系統または１系統に削減することもできる。そしてこれとは反対に、洗浄機１０を多機能化させる場合には、給水路３０の給水系統を４系統以上に増やすこともできる。
【００４３】
さらには、冷却水タンク５０に水道水の供給を行わず、洗浄槽２０から排出された洗浄排水と冷却水タンク５０からの冷却水とを混合させる図示しない混合用プールをさらに配設し、混合用プールにおいて冷却水と洗浄槽２０からの洗浄水を混合させた後に、屋内の排水管などの外部排水設備Ｚに洗浄水を排出してもよい。このとき混合用プールの外表面に放熱板を配設した構成にすること、混合用プール内に密閉容器からなる給水タンク３２を設置して、給水タンク３２内の水に混合用プール内の洗浄水の熱を吸収させる構成等を採用することで、洗浄水の水温をさらに低下させると共に洗浄槽２０に供給する水を加熱させるようにしてもよい。
【符号の説明】
【００４４】
１０  洗浄機，
２０  洗浄槽，２０Ａ  タッチパネル，２１  洗浄ノズル，
２２  洗浄水循環路，
２２Ａ  洗浄水分岐循環路，２２Ｂ  分岐弁，２２Ｃ  分岐洗浄水注入口，
２３  循環ポンプ，２４  洗浄水ヒータ，２５  洗浄水温度計測手段，
２６  給水口，２７  熱風供給口，２８  薬剤供給口，２９  湯気排出口，
３０  給水路，
３０Ａ  第１の給水路，３０Ａａ  第１の給水路の分岐路，
３０Ｂ  第２の給水路，３０Ｃ  第３の給水路，
３２  給水タンク，
４０  排水路，４２  排水ポンプ， 
５０  冷却水タンク，５２  冷却水ポンプ，５４  冷却水供給水路，
５６  冷却水量計測手段，
５８  冷却水温度計測手段，
６０  凝縮器，６２  湯気搬送路，
７０  熱風発生機，７２  ＨＥＰＡフィルター，７４  送風ファン，７６  ヒータ，
８０  薬剤タンク，
９０  制御部，
Ｌ  レバー，
Ｚ  外部排水設備
【図１】
2017196130.tif 000003
【図２】
2017196130.tif 000004
【図３】
2017196130.tif 000005